(57)【要約】【課題】安定的な基準電圧を供給するために、それぞれの終端電圧によって変化する基準電圧を発生する複数の基準電圧発生器及びこれを含むシステム並びに基準電圧発生方法が開示される。【解決手段】基準電圧発生回路は、複数のデータ信号を終端抵抗を通じてそれぞれ終端するための終端電圧を提供する複数の終端ノード及び前記複数の終端ノードにそれぞれ連結され、前記終端されたデータ信号の論理レベルを判別するために、前記それぞれの終端電圧によって変化する基準電圧を発生する複数の基準電圧発生器を含む。データ信号のそれぞれの終端電圧によって変化するそれぞれの基準電圧を提供することにより、複数のデータ信号の論理レベルを判別する時のエラー率を減少させることができる。【選択図】図１
2007306569.tif 000002
【特許請求の範囲】
【請求項１】
複数のデータ信号を終端抵抗を通じてそれぞれ終端するための終端電圧を提供する複数の終端ノードと、
前記複数の終端ノードにそれぞれ連結され、前記終端されたデータ信号の論理レベルを判別するために、前記それぞれの終端電圧によって変化する基準電圧を発生する複数の基準電圧発生器と、を含む基準電圧発生回路。
【請求項２】
前記基準電圧発生回路は、前記データ信号の論理ローレベルによって変化する第１電圧を提供する第１電圧ノードを更に含み、
前記第１電圧は、前記データ信号を出力する送信機のプルダウン電圧ドライバに連結された駆動接地電圧に基づいて提供されることを特徴とする請求項１記載の基準電圧発生回路。
【請求項３】
前記複数の基準電圧発生器は、
前記終端ノード及び前記第１電圧ノードの間に並列に連結されることを特徴とする請求項２記載の基準電圧発生回路。
【請求項４】
前記基準電圧発生器のそれぞれは、
前記それぞれの終端ノード及び前記第１電圧ノードの中間電圧を前記基準電圧に発生する基準ノードと、
前記基準ノード及び前記第１電圧ノードの間に連結されたプルダウン抵抗と、
前記それぞれの終端ノード及び前記基準ノードの間に連結されたプルアップ抵抗と、を含むことを特徴とする請求項２記載の基準電圧発生回路。
【請求項５】
前記終端ノード及び前記第１電圧ノードの間に並列に連結された基準電圧発生器の個数がｎ（ｎは２以上の自然数）で、前記それぞれの終端抵抗がＲの抵抗値を有する場合、前記それぞれのプルダウン抵抗はｎ（Ｒ／２）の抵抗値を有し、前記それぞれのプルアップ抵抗はｎ（Ｒ／２）の抵抗値を有することを特徴とする請求項４記載の基準電圧発生回路。
【請求項６】
前記基準電圧発生器のそれぞれは、
前記それぞれの終端ノード及び前記第１電圧ノードの中間電圧を前記基準電圧に発生する基準ノードと、
前記それぞれの終端ノード及び前記基準ノードの間に連結されたプルアップ抵抗と、を更に含み、
前記基準電圧発生回路は、前記第１電圧ノード及び前記基準ノードの間に共通に連結された共通プルダウン抵抗を更に含むことを特徴とする請求項２記載の基準電圧発生回路。
【請求項７】
前記終端ノード及び前記第１電圧ノードの間に並列に連結された基準電圧発生器の個数がｎ（ｎは２以上の自然数）で、前記それぞれの終端抵抗がＲの抵抗値を有する場合、前記共通プルダウン抵抗はＲ／２の抵抗値を有し、前記それぞれのプルアップ抵抗はｎ（Ｒ／２）の抵抗値を有することを特徴とする請求項６記載の基準電圧発生回路。
【請求項８】
前記基準電圧発生回路は、前記データ信号の論理ローレベルによって変化する第１電圧を提供する第１電圧ノード、及び前記データ信号の論理ハイレベルによって変化する第２電圧を提供する第２電圧ノードを更に含み、
前記第１電圧は、前記データ信号を出力する送信機のプルダウンデータドライバに連結された駆動接地電圧に基づいて提供され、
前記第２電圧は、前記送信機のプルアップデータドライバに連結された駆動電源電圧に基づいて提供されることを特徴とする請求項１記載の基準電圧発生回路。
【請求項９】
前記基準電圧発生器は、
前記第１電圧ノードと前記第２電圧ノードとの間に並列に連結されることを特徴とする請求項８記載の基準電圧発生回路。
【請求項１０】
前記基準電圧発生器のそれぞれは、
前記第１電圧を前記それぞれの終端電圧で終端するプルダウンノード、前記第２電圧を前記それぞれの終端電圧で終端するプルアップノード、及び前記プルダウンノードと前記プルアップノードの中間電圧を前記基準電圧に発生する基準ノードを含むことを特徴とする請求項８記載の基準電圧発生回路。
【請求項１１】
前記基準電圧発生器のそれぞれは、
前記それぞれの終端ノード及び前記プルダウンノードの間に連結され前記第１電圧信号を終端するプルダウン抵抗と、
前記それぞれの終端ノード及び前記プルアップノードの間に連結され前記第２電圧信号を終端するプルアップ抵抗と、
前記プルダウンノード及び前記基準ノードの間に連結された第１分配抵抗と、
前記プルアップノード及び前記基準ノードの間に連結された第２分配抵抗と、を更に含むことを特徴とする請求項１０記載の基準電圧発生回路。
【請求項１２】
前記第１電圧ノード及び前記第２電圧ノードの間に並列に連結された基準電圧発生器の個数がｎ（ｎは２以上の自然数）で、前記それぞれの終端抵抗がＲの抵抗値を有する場合、前記それぞれのプルダウン抵抗はｎＲの抵抗値を有し、前記それぞれのプルアップ抵抗はｎＲの抵抗値を有し、前記第１分配抵抗及び前記第２分配抵抗は同じ抵抗値を有することを特徴とする請求項１１記載の基準電圧発生回路。
【請求項１３】
前記基準電圧発生器のそれぞれは、
前記第１電圧信号を前記隣接した２つの終端ノードのうち第１終端ノードの終端電圧で終端するプルダウンノード、前記第２電圧信号を前記隣接した２個の終端ノードのうち第２終端ノードの終端電圧で終端するプルアップノード、及び前記プルダウンノードと前記プルアップノードの中間電圧を前記基準電圧に発生する基準ノードを含むことを特徴とする請求項８記載の基準電圧発生回路。
【請求項１４】
前記基準電圧発生器のそれぞれは、
前記第１終端ノード及び前記プルダウンノードの間に連結されたプルダウン抵抗と、
前記第２終端ノード及び前記プルアップノードの間に連結されたプルアップ抵抗と、
前記プルダウンノード及び前記基準ノードの間に連結された第１分配抵抗と、
前記プルアップノード及び前記基準ノードの間に連結された第２分配抵抗と、を含むことを特徴とする請求項１３記載の基準電圧発生回路。
【請求項１５】
前記第１電圧ノード及び前記第２電圧ノードの間に並列に連結された基準電圧発生器の個数がｎ（ｎは自然数）で、前記それぞれの終端抵抗がＲの抵抗値を有する場合、前記それぞれのプルダウン抵抗はｎＲの抵抗値を有し、前記それぞれのプルアップ抵抗はｎＲの抵抗値を有し、前記第１分配抵抗及び前記第２分配抵抗は同じ抵抗値を有することを特徴とする請求項１４記載の基準電圧発生回路。
【請求項１６】
共通された駆動電源電圧及び共通された駆動接地電圧によって複数のデータ信号を伝送する送信機と、
前記データ信号を受信し、前記受信されたデータ信号をそれぞれの終端電圧で終端し、前記終端されたそれぞれのデータ信号の論理レベルを判別するために、前記それぞれの終端電圧によって変化する基準電圧を発生する受信機と、
前記送信機及び前記受信機の間に連結された複数の伝送ラインと、を含むことを特徴とするシステム。
【請求項１７】
前記送信機は、
前記共通された駆動接地電圧及び前記共通された駆動電源電圧によって前記データ信号を発生する複数のデータドライバと、
前記データ信号を出力する複数のデータ出力ピンと、を含み、
前記受信機は、
前記データ信号を受信してそれぞれの終端電圧によって終端された複数のデータ入力ピンと、
前記それぞれの終端電圧を提供する複数の終端ノードが配列された電源電圧ラインと、
前記データ入力ピン及び前記終端ノードの間にそれぞれ連結された複数の終端抵抗と、
前記複数の終端ノードにそれぞれ連結され、前記受信されたそれぞれのデータ信号の論理レベルを判断するために、前記それぞれの終端電圧によって変化する基準電圧を発生する複数の基準電圧発生器と、を含むことを特徴とする請求項１６記載のシステム。
【請求項１８】
前記受信機は、
前記終端されたデータ信号をそれぞれの終端電圧によって変化する基準電圧と比較して、論理ハイレベル又は論理ローレベルの内部信号を発生する複数の入力バッファを更に含むことを特徴とする請求項１７記載のシステム。
【請求項１９】
前記送信機は、前記駆動接地電圧によって変化する第１電圧信号を発生する第１電圧ドライバ及び前記第１電圧信号を出力する第１電圧出力ピンを更に含み、
前記受信機は、前記第１電圧信号を受信して前記複数の基準電圧発生器に連結された第１電圧入力ピンを更に含むことを特徴とする請求項１７記載のシステム。
【請求項２０】
前記複数の基準電圧発生器は、
前記電源電圧ラインの終端ノード及び前記第１電圧入力ピンの間に並列に連結されることを特徴とする請求項１９記載のシステム。
【請求項２１】
前記基準電圧発生器のそれぞれは、
前記それぞれの終端電圧及び前記第１電圧入力ピンの第１電圧を分配し、前記それぞれの終端電圧及び前記第１電圧の中間電圧を前記基準電圧に発生するプルダウン抵抗及びプルアップ抵抗を含むことを特徴とする請求項２０記載のシステム。
【請求項２２】
前記それぞれの終端抵抗がＲの抵抗値を有する場合、前記複数の終端ノード及び前記第１電圧入力ピンの間に連結されたプルダウン抵抗とプルアップ抵抗の全体合成抵抗はＲの抵抗値を有することを特徴とする請求項２１記載のシステム。
【請求項２３】
前記送信機は、前記駆動接地電圧によって変化する第１電圧信号を発生する第１電圧ドライバ、前記駆動電源電圧によって変化する第２電圧信号を発生する第２電圧ドライバ、前記第１電圧信号を出力する第１電圧出力ピン、及び前記第２電圧信号を出力する第２電圧出力ピンを更に含み、
前記受信機は、前記第１電圧信号を受信して前記複数の基準電圧発生器に連結された第１電圧入力ピン及び前記第２電圧信号を受信して前記複数の基準電圧発生器に連結された第２電圧入力ピンを更に含むことを特徴とする請求項１７記載のシステム。
【請求項２４】
前記複数の基準電圧発生器は、
前記第１電圧入力ピンと前記第２電圧入力ピンとの間に並列に連結されることを特徴とする請求項２３記載のシステム。
【請求項２５】
前記基準電圧発生器のそれぞれは、
前記第１電圧信号を前記それぞれの終端電圧で終端するプルダウン抵抗、及び前記第２電圧を前記それぞれの終端電圧で終端するプルアップ抵抗を含むことを特徴とする請求項２４記載のシステム。
【請求項２６】
前記それぞれの終端抵抗がＲの抵抗値を有する場合、前記複数の終端ノード及び前記第１電圧入力ピンの間に連結されたプルダウン抵抗の合成抵抗はＲの抵抗値を有し、前記複数の終端ノード及び前記第２電圧入力ピンの間に連結されたプルアップ抵抗の合成抵抗はＲの抵抗値を有することを特徴とする請求項２５記載のシステム。
【請求項２７】
前記基準電圧発生器のそれぞれは、
前記プルダウン抵抗を通じて終端された第１電圧と前記プルアップ抵抗を通じて終端された第２電圧を分配して前記終端された第１電圧と前記終端された第２電圧の中間電圧を前記基準電圧に発生する第１分配抵抗及び第２分配抵抗を更に含むことを特徴とする請求項２５記載のシステム。
【請求項２８】
前記送信機及び前記受信機のうち、１つはメモリコントローラで、他の１つはメモリ装置であることを特徴とする請求項１７記載のシステム。
【請求項２９】
複数のデータ信号を受信する段階と、
終端抵抗を通じて前記データ信号をそれぞれの終端電圧で終端する段階と、
前記それぞれの終端電圧によって変化する基準電圧を発生する段階と、を含むことを特徴とする基準電圧発生方法。
【請求項３０】
前記データ信号をそれぞれの終端電圧で終端する段階は、
前記データ信号を共通された電源電圧ライン上に配列された終端ノードのそれぞれの終端電圧で終端する段階であることを特徴とする請求項２９記載の基準電圧発生方法。
【請求項３１】
前記データ信号を出力する送信機のプルダウンデータドライバに連結された駆動接地電圧によって変化する第１電圧を提供する段階を更に含むことを特徴とする請求項２９記載の基準電圧発生方法。
【請求項３２】
前記それぞれの終端電圧によって変化する基準電圧を発生する段階は、
前記それぞれの終端電圧及び前記第１電圧をそれぞれのプルダウン抵抗及びそれぞれのプルアップ抵抗に分配する段階と、
前記それぞれの終端電圧及び前記第１電圧の中間電圧を前記基準電圧に提供する段階と、を含むことを特徴とする請求項３１記載の基準電圧発生方法。
【請求項３３】
前記それぞれの終端抵抗がＲの抵抗値を有する場合、前記複数の終端ノード及び前記第１電圧入力ピンの間に連結されたプルダウン抵抗とプルアップ抵抗の全体合成抵抗はＲの抵抗値を有することを特徴とする請求項３２記載の基準電圧発生方法。
【請求項３４】
前記データ信号を出力する送信機のプルダウンデータドライバに連結された駆動接地電圧によって変化する第１電圧を提供する段階と、
前記送信機のプルアップデータドライバに連結された駆動電源電圧によって変化する第２電圧を提供する段階と、を更に含むことを特徴とする請求項２９記載の基準電圧発生方法。
【請求項３５】
前記それぞれの終端電圧によって変化する基準電圧を発生する段階は、
前記それぞれの終端電圧によって前記第１電圧及び前記第２電圧をそれぞれのプルダウン抵抗及びそれぞれのプルアップ抵抗を通じて終端する段階と、
前記プルダウン抵抗を通じて終端された第１電圧及び前記プルアップ抵抗を通じて終端された第２電圧を分配抵抗に分配する段階と、
前記第１電圧及び前記第２電圧の中間電圧を前記基準電圧に提供する段階と、を含むことを特徴とする請求項３４記載の基準電圧発生方法。
【請求項３６】
前記それぞれの終端抵抗がＲの抵抗値を有する場合、前記複数の終端ノード及び前記第１電圧入力ピンの間に連結されたプルダウン抵抗の合成抵抗はＲの抵抗値を有し、前記複数の終端ノード及び前記第２電圧入力ピンの間に連結されたプルアップ抵抗の合成抵抗はＲの抵抗値を有することを特徴とする請求項３５記載の基準電圧発生方法。
【発明の詳細な説明】
【技術分野】
【０００１】
本発明は、基準電圧発生回路及びこれを含むシステム並びに基準電圧発生方法に関し、より詳細には、複数のデータ信号のそれぞれの終端電圧によって変化する複数の基準電圧を発生する基準電圧発生回路及びこれを含むシステム並びに基準電圧発生方法に関する。
【背景技術】
【０００２】
差動信号対を受信する装置とは異なり、シングルエンドデータ信号を受信する装置は、受信されたデータ信号の論理レベルを判別するための基準電圧を必要とする。基準電圧は受信されるデータ信号の論理ローレベルに相当するロー電圧と論理ハイレベルに相当するハイ電圧の中間値を維持することが好ましい。
【０００３】
データ信号を受信する装置は、比較器で構成された入力バッファで受信されたデータ信号の電圧と基準電圧とを比較する。前記入力バッファは、受信されたデータ信号の電圧が基準電圧より大きい場合には、論理ハイレベルの内部信号を発生して内部ロジックに伝達し、受信されたデータ信号の電圧が基準電圧より小さい場合には、論理ローレベルの内部信号を発生して内部ロジックに伝達する。
【０００４】
特許文献１には、複数のデータ信号の論理レベルを判別するために同じ基準電圧を複数の入力バッファに提供する半導体装置が開示されている。
【特許文献１】韓国特許第１０−５３９２６７号  前記半導体装置では、データ信号が入力されるデータ入力ピン１０ａ、１０ｂがそれぞれの終端ノードに連結された終端抵抗を通じてそれぞれの終端電圧によって終端される。送受信システムでは、一般的にインピーダンス整合のために、データ伝送ライン又はデータバスを終端する終端抵抗が使用される。それぞれの終端電圧によって終端されたデータ信号は、それぞれ入力バッファに入力され基準電圧と比較される。
【０００５】
前記半導体装置に含まれた基準電圧発生器は、電源電圧が印加される電源電圧ライン上の任意の共通ノードＮＣの電圧と接地電圧との間の電圧を分圧して基準電圧を発生する。前記電源電圧ラインの抵抗成分によって電源電圧ラインに沿って電圧降下が発生する場合、終端ノードは前記電圧降下によって互いに異なる終端電圧値を提供することになる。従って、前記のように１つの共通ノードＮＣの電圧に基づいて基準電圧を発生する場合、終端ノードの位置と前記基準電圧の基礎となる共通ノードＮＣの電源電圧ライン上における位置が離れるほど、前記ノードＮＣの電圧に基づいて提供される基準電圧と理想的な基準電圧との差異が大きくなる。
【０００６】
一方、複数のデータ信号の電圧レベルが送信機のノイズ等によって変化する場合には、従来の基準電圧発生器は、それぞれのデータ信号に相応する正確な基準電圧を発生することができない。不正確な基準電圧によってデータ信号の論理レベル判別に関するエラー率が増加して全体システムの性能を低下させる。
【０００７】
また、データの送受信率が増加するほど、データ信号を基準電圧と比較してラッチするセットアップタイム及びホールドタイムが短くなるので、より精密な基準電圧が要求される。
【発明の開示】
【発明が解決しようとする課題】
【０００８】
前記のような問題点を解決するために、本発明は、複数のデータ信号のそれぞれの終端電圧によって変化する複数の基準電圧を発生する基準電圧発生回路を提供することを第１の目的とする。
【０００９】
本発明は、複数のデータ信号のそれぞれの終端電圧によって変化する複数の基準電圧を発生する基準電圧発生回路を含むシステムを提供することを第２の目的とする。
【００１０】
本発明は、複数のデータ信号のそれぞれの終端電圧によって変化する複数の基準電圧を発生する方法を提供することを第３の目的とする。
【００１１】
本発明は、複数のデータ信号のそれぞれの終端電圧、前記データ信号を伝送する送信機に含まれたデータドライバの駆動接地電圧及び駆動電源電圧によって変化する基準電圧を発生する基準電圧発生回路、これを含むシステム及び基準電圧発生方法を提供することを第４の目的とする。
【課題を解決するための手段】
【００１２】
前記目的を達成するために、本発明の一実施例による基準電圧発生回路は、複数のデータ信号を終端抵抗を通じてそれぞれ終端するための終端電圧を提供する複数の終端ノード、及び前記複数の終端ノードにそれぞれ連結され、前記終端されたデータ信号の論理レベルを判別するために、前記それぞれの終端電圧によって変化する基準電圧を発生する複数の基準電圧発生器を含む。
【００１３】
前記基準電圧発生回路は、前記データ信号の論理ローレベルによって変化する第１電圧を提供する第１電圧ノードを更に含むことができ、前記第１電圧は、前記データ信号を出力する送信機のプルダウン電圧ドライバに連結された駆動接地電圧に基づいて提供されることができる。従って、前記複数の基準電圧発生器は、前記終端ノード及び前記第１電圧ノードの間に並列に連結される。
【００１４】
一方、前記基準電圧発生回路は、前記データ信号の論理ローレベルによって変化する第１電圧を提供する第１電圧ノード、及び前記データ信号の論理ハイレベルによって変化する第２電圧を提供する第２電圧ノードを更に含むことができ、前記第１電圧は、前記データ信号を出力する送信機のプルダウンデータドライバに連結された駆動接地電圧に基づいて提供され、前記第２電圧は、前記送信機のプルアップデータドライバに連結された駆動電源電圧に基づいて提供されることができる。
【００１５】
本発明の一実施例によるシステムは、共通された駆動電源電圧及び共通された駆動接地電圧によって複数のデータ信号を伝送する送信機、前記データ信号を受信し、前記受信されたデータ信号をそれぞれの終端電圧で終端し、前記終端されたそれぞれのデータ信号の論理レベルを判別するために、前記それぞれの終端電圧によって変化する基準電圧を発生する受信機、及び前記送信機及び前記受信機の間に連結された複数の伝送ラインを含む。
【００１６】
前記送信機は、前記共通された駆動接地電圧及び前記共通された駆動電源電圧によって前記データ信号を発生する複数のデータドライバ、及び前記データ信号を出力する複数のデータ出力ピンを含むことができ、前記受信機は、前記データ信号を受信してそれぞれの終端電圧によって終端された複数のデータ入力ピン、前記それぞれの終端電圧を提供する複数の終端ノードが配列された電源電圧ライン、前記データ入力ピン及び前記終端ノードの間にそれぞれ連結された複数の終端抵抗、及び前記複数の終端ノードにそれぞれ連結され、前記受信されたそれぞれのデータ信号の論理レベルを判断するために前記それぞれの終端電圧によって変化する基準電圧を発生する複数の基準電圧発生器を含むことができる。前記受信機は、前記終端されたデータ信号をそれぞれの終端電圧によって変化する基準電圧と比較して、論理ハイレベル又は論理ローレベルの内部信号を発生する複数の入力バッファを更に含むことができる。
【００１７】
前記送信機は、前記駆動接地電圧によって変化する第１電圧信号を発生する第１電圧ドライバ及び前記第１電圧信号を出力する第１電圧出力ピンを更に含み、前記受信機は、前記第１電圧信号を受信して前記複数の基準電圧発生器に連結された第１電圧入力ピンを更に含むことができる。
【００１８】
一方、前記送信機は、前記駆動接地電圧によって変化する第１電圧信号を発生する第１電圧ドライバ、前記駆動電源電圧によって変化する第２電圧信号を発生する第２電圧ドライバ、前記第１電圧信号を出力する第１電圧出力ピン、及び前記第２電圧信号を出力する第２電圧出力ピンを更に含み、前記受信機は、前記第１電圧信号を受信して前記複数の基準電圧発生器に連結された第１電圧入力ピン及び前記第２電圧信号を受信して前記複数の基準電圧発生器に連結された第２電圧入力ピンを更に含むことができる。
【００１９】
前記送信機及び前記受信機のうち、１つはメモリコントローラで、他の１つはメモリ装置として使用されることができる。
【００２０】
本発明の一実施例による基準電圧発生方法は、複数のデータ信号を受信する段階、終端抵抗を通じて前記データ信号をそれぞれの終端電圧で終端する段階、及び前記それぞれの終端電圧によって変化する基準電圧を発生する段階を含む。
【００２１】
前記基準電圧発生方法は、前記データ信号を出力する送信機のプルダウンデータドライバに連結された駆動接地電圧によって変化する第１電圧を提供する段階を更に含むことができる。一方、前記基準電圧発生方法は、前記データ信号を出力する送信機のプルダウンデータドライバに連結された駆動接地電圧によって変化する第１電圧を提供する段階、及び前記送信機のプルアップデータドライバに連結された駆動電源電圧によって変化する第２電圧を提供する段階を更に含むことができる。
【発明を実施するための最良の形態】
【００２２】
本文に開示している本発明の実施形態において、特定の構造的乃至機能的説明は、本発明の実施例を説明するための目的として例示されたものに過ぎず、本発明の実施形態は、多様な形態で実施することができ、本文に説明した実施形態に限定されるものではない。
【００２３】
本発明は、多様な変更を加えることができ、多様な形態を有することができ、特定の実施形態を図面に例示し、本文で詳細に説明する。しかし、これは、本発明の範囲を特定実施形態に限定するものではなく、本発明は、その思想及び技術範囲に含まれる全ての変更、均等物乃至代替物を含むことと理解すべきである。
【００２４】
各図面を説明しながら類似の参照符号を構成要素に付与した。
【００２５】
第１、第２などの用語は、多様な構成要素を説明するのに用いることができるが、前記構成要素は前記用語によって限定されるものではない。前記用語は、一つの構成要素を他の構成要素から区別する目的としてのみ用いられる。例えば、本発明の権利範囲から逸脱しない限り、第１構成要素は第２構成要素として表現されうるし、同様に、第２構成要素は第１構成要素として表現されうる。
【００２６】
いずれかの構成要素が他の構成要素に「連結」或いは「接続」されていると言及したときには、その他の構成要素に直接的に連結或いは接続されていることもあるが、中間に他の構成要素が存在することもあると理解すべきである。反面、いずれかの構成要素が他の構成要素に「直接連結」或いは「直接接続」されていると言及されたときには、中間に他の構成要素が存在しないことと理解すべきである。構成要素間の関係を説明する他の表現、即ち、「〜間に」と「すぐ〜間に」または「〜に隣る」と「〜に直接隣る」なども同様に解釈すべきである。
【００２７】
本出願で用いた用語は、特定の実施形態を説明するために使用されるものであって、本発明を限定しようとする意図ではない。単数の表現は、文脈上明確に異なるように使用されない限り、複数の表現を含む。本出願において、「含む」または「有する」などの用語は、説明される特徴、数字、段階、動作、構成要素、部分品またはこれらを組み合わせたものの存在または付加可能性を予め排除しないことと理解すべきである。
【００２８】
異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常的であるか過度に形式的な意味で解釈されない。
【００２９】
以下、添付図面を参照して、本発明の好ましい実施形態をより詳細に説明する。図面上の同じ構成要素には同じ参照符号を付与して、同じ構成要素についての重複説明は省略する。
【００３０】
図１は、本発明の一実施例によるシステムを示す回路図である。
【００３１】
図１を参照すると、システム５００は、送信機３２０、受信機２２０、及び複数の伝送ライン３０ａ、３０ｂ、３０ｎ、３５を含む。
【００３２】
送信機３２０は、共通した駆動電源電圧ＶＤＤ’及び共通した駆動接地電圧ＶＳＳ’によって複数のデータ信号を伝送する。受信機２２０は、データ信号を受信し、受信されたデータ信号をそれぞれの終端電圧ＶＤＤ１、ＶＤＤ２、ＶＤＤｎで終端して、終端されたそれぞれのデータ信号ＩＳ１、ＩＳ２、ＩＳｎの論理レベル（ロー又はハイ）を判別するために、それぞれの終端電圧（ＶＤＤ１、ＶＤＤ２、ＶＤＤｎ）によって変化する基準電圧（ＶＲＥＦ１、ＶＲＥＦ２、ＶＲＥＦｎ）を発生する。データ伝送ライン３０ａ、３０ｂ、３０ｎは、送信機３２０及び受信機２２０の間に連結される。システム５００には、電圧伝送ライン３５が更に含まれうる。
【００３３】
送信機３２０は、複数のデータドライバ５０ａ、５０ｂ、５０ｎ及び複数のデータ出力ピン４０ａ、４０ｂ、４０ｎを含み、受信機２２０は、複数のデータ入力ピン１０ａ、１０ｂ、１０ｎ、電源電圧ライン９０、複数の終端抵抗ＲＴ、及び基準電圧発生回路１２０を含む。受信機２２０は、複数の入力バッファ２０ａ、２０ｂ、２０ｎを更に含むことができる。
【００３４】
送信機３２０の複数のデータドライバ５０ａ、５０ｂ、５０ｎは、共通した駆動接地電圧ＶＳＳ’及び共通した駆動電源電圧ＶＤＤ’によってデータ信号を発生する。発生されたデータ信号は、複数のデータ出力ピン４０ａ、４０ｂ、４０ｎを通じて出力され、伝送ライン３０ａ、３０ｂ、３０ｎを通じて受信機２２０に伝送される。
【００３５】
受信機２２０は、複数のデータ入力ピン１０ａ、１０ｂ、１０ｎを通じてデータ信号を受信する。複数のデータ入力ピン１０ａ、１０ｂ、１０ｎは、それぞれの終端電圧ＶＤＤ１、ＶＤＤ２、ＶＤＤｎによって終端されている。それぞれの終端電圧ＶＤＤ１、ＶＤＤ２、ＶＤＤｎは、電源電圧ライン９０上に配列された複数の終端ノードＮＴ１、ＮＴ２、ＮＴｎから提供される。複数の終端抵抗ＲＴは、データ入力ピン１０ａ、１０ｂ、１０ｎと終端ノードＮＴ１、ＮＴ２、ＮＴｎとの間にそれぞれ連結され、伝送ライン３０ａ、３０ｂ、３０ｎ上に発生することができる反射波を防止し、データ信号が安定的に受信されるようにする。
【００３６】
複数の入力バッファ２０ａ、２０ｂ、２０ｎは、終端されたデータ信号ＩＳ１、ＩＳ２、ＩＳｎをそれぞれの基準電圧ＶＲＥＦ１、ＶＲＥＦ２、ＶＲＥＦｎと比較して、論理ハイレベル又は論理ローレベルの比較信号ＣＳ１、ＣＳ２、ＣＳｎを発生する。
【００３７】
基準電圧発生回路１２０は、データ入力ピン１０ａ、１０ｂ、１０ｎに終端電圧ＶＤＤ１、ＶＤＤ２、ＶＤＤｎを提供する終端ノードＮＴ１、ＮＴ２、ＮＴｎに連結されている。基準電圧発生回路１２０は、終端されたそれぞれのデータ信号ＩＳ１、ＩＳ２、ＩＳｎの論理レベルを判断するために、それぞれの終端電圧ＶＤＤ１、ＶＤＤ２、ＶＤＤｎによって変化する基準電圧ＶＲＥＦ１、ＶＲＥＦ２、ＶＲＥＦｎを発生する。
【００３８】
本発明の一実施形態による基準電圧発生回路１２０は、従来の基準電圧発生器とは異なり、電源電圧ライン９０上のノイズによって終端電圧ＶＤＤ１、ＶＤＤ２、ＶＤＤｎが増加又は減少されるか、電源電圧ライン９０の抵抗成分による電圧降下等によってそれぞれの終端電圧が異なる場合、前記それぞれの終端電圧の変化によって変化するそれぞれの基準電圧ＶＲＥＦ１、ＶＲＥＦ２、ＶＲＥＦｎを発生する。基準電圧発生器の具体的な構成については後述する。
【００３９】
送信機３２０は、第１電圧ドライバ６０及び第１電圧出力ピン７５を更に含むことができ、受信機２２０は、第１電圧入力ピン７０を更に含むことができる。第１電圧ドライバ６０は、駆動接地電圧ＶＳＳ’によって変化する第１電圧信号を発生し、前記第１電圧信号は第１電圧出力ピン７５及び電圧伝送ライン３５を通じて受信機２２０に伝送される。受信機２２０は、基準電圧発生回路１２０に連結された第１電圧入力ピン７０を通じて第１電圧信号ＶＬを受信する。第１電圧ドライバ６０は、データ信号の伝送時、ターンオン状態を維持する。
【００４０】
この場合、電圧発生回路１２０は、終端電圧ＶＤＤ１、ＶＤＤ２、ＶＤＤｎ及び受信された第１電圧信号ＶＬに基づいて終端されたデータ信号ＩＳ１、ＩＳ２、ＩＳｎのそれぞれに対応する基準電圧ＶＲＥＦ１、ＶＲＥＦ２、ＶＲＥＦｎを発生する。従って、電圧発生回路１２０は、送信機３２０の駆動接地電圧ＶＳＳ’及び駆動電源電圧ＶＤＤ’のノイズ及び受信機２２０の終端電圧の差異を全て反映して、終端されたそれぞれのデータ信号ＩＳ１、ＩＳ２、ＩＳｎに適合した電圧レベルの基準電圧ＶＲＥＦ１、ＶＲＥＦ２、ＶＲＥＦｎを発生する。
【００４１】
以下、データ信号の伝送経路及び基準電圧の発生経路を説明する。
【００４２】
図２は、オープンドレイン構造のデータドライバによるデータ信号の伝送経路を示す回路図である。
【００４３】
図２を参照すると、送信機のプルダウンデータドライバ５０は、スイッチング動作によって論理ローレベル又は論理ハイレベルのデータ信号を発生し、発生されたデータ信号は伝送ライン３０を通じて受信機に伝送される。伝送されたデータ信号は、終端抵抗ＲＴを通じて終端電圧ＶＴＴによって終端され、終端されたデータ信号ＩＳは比較器等の内部回路に提供される。
【００４４】
プルダウンデータドライバ５０のターンオン抵抗及び伝送ラインの抵抗の和をＲＯＮ（即ち、送信機の駆動接地電圧ＶＳＳ’から受信機のデータ入力ピンまでの抵抗）としてモデリングし、終端抵抗をＲＴとしてモデリングする場合、プルダウンデータドライバ５１がターンオンされる時の終端されたデータ信号ＩＳのロー電圧ＶＯＬとプルダウンデータドライバ５１がターンオフされる時の終端されたデータ信号ＩＳのハイ電圧ＶＯＨは数式１と同じである。
【００４５】
ＶＯＬ＝ＶＴＴ×ＲＯＮ／（ＲＯＮ＋ＲＴ）
ＶＯＬ＝ＶＴＴ
・・・（数式１）
基準電圧は、ロー電圧ＶＯＬとハイ電圧ＶＯＨとの中間電圧に維持されなければならないので、数式２のような基準電圧が要求される。
【００４６】
ＶＲＥＦ＝（ＶＯＬ＋ＶＯＨ）／２＝ＶＴＴ×（ＲＯＮ＋（ＲＴ／２））／（ＲＯＮ＋ＲＴ）
・・・（数式２）
図３は、オープンドレイン構造の電圧ドライバによる基準電圧の発生経路を示す回路図である。
【００４７】
図３を参照すると、送信機のプルダウン電圧ドライバ６０は、駆動接地電圧ＶＳＳ’に基づいた電圧信号を発生し、発生された電圧信号は、伝送ライン３５を通じて受信機に伝送される。受信機は、終端電圧ＶＴＴと電圧ノードＮＬの第１電圧ＶＬとをプルアップ抵抗ＲＵ及びプルダウン抵抗ＲＤで分圧し、基準ノードＮＲを通じて基準電圧ＶＲＥＦを発生する。
【００４８】
プルダウン電圧ドライバ６０のターンオン抵抗及び伝送ライン３５の抵抗の和を図３のデータ信号の伝送経路のようなＲＯＮとしてモデリングする場合、プルダウン電圧ドライバ６０がターンオンされた時の基準電圧ＶＲＥＦは数式３と同じである。
【００４９】
ＶＲＥＦ＝ＶＴＴ×（ＲＯＮ＋ＲＵ）／（ＲＯＮ＋ＲＤ＋ＲＵ）
・・・（数式３）
図２のプルダウンデータドライバ５０と図３のプルダウン電圧ドライバ６０が同じサイズ及び特性を有するトランジスタとして具現され、データ伝送ライン３０と電圧伝送ライン３５の抵抗特性が同じ場合、数式３及び数式４のＲＯＮは同じである。従って、ＲＵ＝ＲＤを満足し、ＲＵ＋ＲＤ＝ＲＴを満足する場合、数式２及び数式３の基準電圧は同じになる。
【００５０】
図４は、本発明の一実施形態による基準電圧発生回路を含む図１の受信機を示す回路図である。図１の構成要素と同じ構成要素についての説明は省略する。
【００５１】
図４を参照すると、受信機２２０に含まれた基準電圧発生回路１２０は、複数の基準電圧発生器１２０ａ、１２０ｂ、１２０ｎを含む。複数の基準電圧発生器１２０ａ、１２０ｂ、１２０ｎは、それぞれの終端されたデータ信号ＩＳ１、ＩＳ２、ＩＳｎに対応するそれぞれの基準電圧ＶＲＥＦ１、ＶＲＥＦ２、ＶＲＥＦｎを発生する。それぞれの基準電圧発生器１２０ａ、１２０ｂ、１２０ｎは、第１端がそれぞれの終端ノードＮＴ１、ＮＴ２、ＮＴｎに連結されており、第２端は第１電圧ＶＬが印加される電圧入力ピン７０に連結される。従って、複数の基準電圧発生器１２０ａ、１２０ｂ、１２０ｎは、電源電圧ライン９０と電圧入力ピン７０との間に並列に連結される。
【００５２】
１つの基準電圧発生器を例として説明すると、基準電圧発生器１２０ａは、終端ノードＮＴ１の終端電圧ＶＤＤ１と第１電圧ＶＬを分圧して、終端されたデータ信号ＩＳ１の論理レベルを判別するための基準電圧ＶＲＥＦ１を発生する。図２及び図３と関連して説明したように、終端電圧ＶＤＤ１は、データ信号ＩＳ１のハイ電圧と同じである。また、第１電圧が論理ローレベルのデータ信号ＩＳ１と同じ伝送経路を通じて提供され、並列に連結された複数の基準電圧発生器１２０ａ、１２０ｂ、１２０ｎの全体合成抵抗が１つの終端抵抗の抵抗値と同じ場合、前記第１電圧はデータ信号ＩＳ１のロー電圧と同じである。即ち、基準電圧発生器１２０ａは、終端されたデータ信号ＩＳ１のハイ電圧と同じ終端電圧ＶＤＤ１及びロー電圧と同じ第１電圧に基づいて基準電圧ＶＲＥＦ１を発生する。従って、ノイズ等によって終端電圧ＶＤＤ１又は送信機ドライバの駆動接地電圧ＶＳＳ’が変わる場合にも、その変化によって基準電圧ＶＲＥＦ１も変化するので、基準電圧ＶＲＥＦ１は、終端されたデータ信号ＩＳ１のハイ電圧とロー電圧の中間値を維持することができる。
【００５３】
複数の基準電圧発生器１２０ａ、１２０ｂ、１２０ｎは、それぞれの終端電圧に連結されている。従って、電源電圧ライン９０の電圧降下によって終端電圧ＶＤＤ１、ＶＤＤ２、ＶＤＤｎの値がそれぞれ異なるか、ノイズによって変化する場合、それぞれの基準電圧発生器１２０ａ、１２０ｂ、１２０ｎは、それぞれの終端されたデータ信号ＩＳ１、ＩＳ２、ＩＳｎの電圧レベルに適合したそれぞれの基準電圧ＶＲＥＦ１、ＶＲＥＦ２、ＶＲＥＦｎを提供することができる。
【００５４】
図５及び図６は、図５の基準電圧発生回路の構成を示す回路図である。
【００５５】
図５を参照すると、複数の終端ノードＮＴ１、ＮＴ２、ＮＴｎと第１電圧ノードＮＬとの間に並列に連結されたそれぞれの基準電圧発生器１２１ａ、１２１ｂ、１２１ｎは、プルダウン抵抗ＲＤ及びプルアップ抵抗ＲＵをそれぞれ含む。プルダウン抵抗ＲＤは、それぞれの基準ノードＮＲ１、ＮＲ２、ＮＲｎ及び第１電圧ノードＮＬの間に連結され、プルアップ抵抗ＲＵは、それぞれの終端ノードＮＴ１、ＮＴ２、ＮＴｎ及びそれぞれの基準ノードＮＲ１、ＮＲ２、ＮＲｎの間に連結される。
【００５６】
例えば、終端ノードＮＴ１、ＮＴ２、ＮＴｎ及び第１電圧ノードＮＬの間に並列に連結された基準電圧発生器の個数がｎで、それぞれの終端抵抗ＲＴがＲの抵抗値を有する場合に、それぞれのプルダウン抵抗ＲＤはｎ（Ｒ／２）の抵抗値を有し、それぞれのプルアップ抵抗ＲＵはｎ（Ｒ／２）の抵抗値を有する。従って、データ信号の伝送経路と電圧信号の伝送経路が同じ抵抗値を有する場合、それぞれの終端電圧ＶＤＤ１、ＶＤＤ２、ＶＤＤｎは対応するデータ信号ＩＳ１、ＩＳ２、ＩＳｎのそれぞれのハイ電圧（論理ハイレベル）と同じであり、第１電圧ノードＮＬの電圧ＶＬは対応する終端されたデータ信号ＩＳ１、ＩＳ２、ＩＳｎのそれぞれの論理ローレベルと同じである。従って、終端電圧ＶＤＤ１、ＶＤＤ２、ＶＤＤｎが異なるか、送信機の駆動接地電圧ＶＳＳ’及び駆動電源電圧ＶＤＤ’が変化しても、それぞれの基準電圧ＶＲＥＦ１、ＶＲＥＦ２、ＶＲＥＦｎは、対応する終端されたデータ信号ＩＳ１、ＩＳ２、ＩＳｎの論理ローレベルと論理ハイレベルの中間値を維持することができる。
【００５７】
図６を参照すると、基準電圧発生回路１２２は、第１電圧ノードＮＬ及び基準ノードＮＲ１、ＮＲ２、ＮＲｎの間に共通に連結された共通プルダウン抵抗ＲＤＣを更に含み、それぞれの基準電圧発生器１２２ａ、１２２ｂ、１２２ｎは、それぞれの終端ノードＮＴ１、ＮＴ２、ＮＴｎ及び基準ノードの間に連結されたプルアップ抵抗ＲＵを更に含む。
【００５８】
例えば、終端ノードＮＴ１、ＮＴ２、ＮＴｎ及び第１電圧ノードＮＬの間に並列に連結された基準電圧発生器１２２ａ、１２２ｂ、１２２ｎの個数がｎで、それぞれの終端抵抗ＲＴはＲの抵抗値を有する場合に、共通プルダウン抵抗ＲＤＣはＲ／２の抵抗値を有し、それぞれのプルアップ抵抗ＲＵはｎ（Ｒ／２）の抵抗値を有する。この場合、それぞれの基準電圧ＶＲＥＦ１、ＶＲＥＦ２、ＶＲＥＦｎは、対応する終端されたデータ信号ＩＳ１、ＩＳ２、ＩＳｎの論理ローレベルと論理ハイレベルの中間値を維持することができるのは前述したとおりである。
【００５９】
図７は、本発明の他の実施形態によるシステムを示す回路図である。１つの電圧伝送経路を含む図２のシステムとは異なり、図８のシステムは２つの電圧伝送経路を含む。
【００６０】
図７を参照すると、送信機駆動電圧の伝送のために、送信機３４０は第１電圧ドライバ６０ａ、第２電圧ドライバ６０ｂ、第１電圧出力ピン７５ａ、及び第２電圧出力ピン７５ｂを更に含み、受信機２４０は、第１電圧入力ピン７０ａ及び第２電圧入力ピンを更に含む。第１電圧ドライバ６０ａは、駆動接地電圧ＶＳＳ’によって変化する第１電圧信号を発生し、第１電圧信号は、第１電圧出力ピン７５ａ及び電圧伝送ライン３５ａを通じて受信機２４０に伝送される。受信機２４０は、基準電圧発生回路１４０に連結された第１電圧入力ピン７０ａを通じて第１電圧信号ＶＬを受信する。第２電圧ドライバ６０ａは、駆動電源電圧ＶＤＤ’によって変化する第２電圧信号を発生し、前記第２電圧信号は第２電圧出力ピン７５ｂ及び電圧伝送ライン３５ｂを通じて受信機２４０に伝送される。受信機２４０は、基準電圧発生回路１４０に連結された第２電圧入力ピン７０ａを通じて第２電圧信号ＶＨを受信する。第１電圧ドライバ６０ａ及び第２電圧ドライバ６０ｂは、データ信号の伝送時、常にターンオン状態を維持する。
【００６１】
この場合、電圧発生回路１４０は、終端電圧ＶＤＤ１、ＶＤＤ２、ＶＤＤｎ、受信された第１電圧信号ＶＬ及び第２電圧信号ＶＨに基づいて終端されたデータ信号ＩＳ１、ＩＳ２、ＩＳｎのそれぞれに相応する基準電圧ＶＲＥＦ１、ＶＲＥＦ２、ＶＲＥＦｎを発生する。従って、電圧発生回路１４０は、送信機３４０の駆動接地電圧ＶＳＳ’及び駆動電源電圧ＶＤＤ’のノイズ及び受信機２４０の終端電圧の差異を全部反映して、それぞれのデータ信号ＩＳ１、ＩＳ２、ＩＳｎに適合な電圧レベルの基準電圧ＶＲＥＦ１、ＶＲＥＦ２、ＶＲＥＦｎを発生する。
【００６２】
図２及び図３と関連して説明したように、第１電圧信号ＶＬは論理ローレベルのデータ信号と同じ経路を通じて送信機３４０の駆動接地電圧ＶＳＳ’から受信機２４０の第１電圧入力ピン７０ａまで伝送されることができる。同様に、第２電圧信号ＶＨは、論理ハイレベルのデータ信号と同じ経路を通じて送信機３４０の駆動電源電圧ＶＤＤ’から受信機２４０の第２電圧入力ピン７０ｂまで伝送されることができる。
【００６３】
図８は、本発明の一実施形態による基準電圧発生回路を含む図７の受信機を示す回路図である。前述の構成要素と同じ構成要素についての説明は省略する。
【００６４】
図８を参照すると、受信機２４０に含まれた基準電圧発生回路１４０は、複数の基準電圧発生器１４０ａ、１４０ｂ、１４０ｎを含む。複数の基準電圧発生器１４０ａ、１４０ｂ、１４０ｎは、それぞれの終端されたデータ信号ＩＳ１、ＩＳ２、ＩＳｎに対応するそれぞれの基準電圧ＶＲＥＦ１、ＶＲＥＦ２、ＶＲＥＦｎを発生する。
【００６５】
それぞれの基準電圧発生器１４０ａ、１４０ｂ、１４０ｎは、第１電圧ＶＬが印加される電圧入力ピン７０ａに第１端が連結され、第２電圧ＶＨが印加される電圧入力ピン７０ｂに第２端が連結される。従って、複数の基準電圧発生器１４０ａ、１４０ｂ、１４０ｎは、第１電圧入力ピン７０ａと第２電圧入力ピン７０ｂとの間に並列に連結される。
【００６６】
１つの基準電圧発生器を例として説明すると、基準電圧発生器１４０ａは第１電圧信号ＶＬ及び第２電圧信号ＶＨを終端電圧ＶＤＤ１に終端し、前記終端された第１電圧と第２電圧を分配して終端されたデータ信号ＩＳ１の論理レベルを判別するための基準電圧ＶＲＥＦ１を発生する。前述のように、データ信号の伝送経路と電圧信号の伝送経路が同じ場合、前記終端された第１電圧と前記終端された第２電圧は、データ信号ＩＳ１のロー電圧及びハイ電圧とそれぞれ同じである。即ち、基準電圧発生器１４０ａは、終端されたデータ信号ＩＳ１のロー電圧及びハイ電圧と同じ前記終端された第１電圧及び前記終端された第２電圧に基づいて基準電圧ＶＲＥＦ１を発生する。従って、ノイズ等によって終端電圧ＶＤＤ１又は送信機ドライバの駆動接地電圧ＶＳＳ’及び駆動電源電圧ＶＤＤ’が変わる場合にも、その変化によって基準電圧ＶＲＥＦ１も変わるので、基準電圧ＶＲＥＦ１は終端されたデータ信号ＩＳ１のハイ電圧とロー電圧の中間値を維持することができる。
【００６７】
複数の基準電圧発生器１４０ａ、１４０ｂ、１４０ｎは、それぞれの終端電圧に連結されている。従って、電源電圧ライン９０の電圧降下によって終端電圧ＶＤＤ１、ＶＤＤ２、ＶＤＤｎの値がそれぞれ異なるか、ノイズによって変わる場合、それぞれの基準電圧発生器１２０ａ、１２０ｂ、１２０ｎは、それぞれの終端されたデータ信号ＩＳ１、ＩＳ２、ＩＳｎの電圧レベルに適合したそれぞれの基準電圧ＶＲＥＦ１、ＶＲＥＦ２、ＶＲＥＦｎを提供することができる。
【００６８】
図９は、図８の基準電圧発生回路の構成の一例を示す回路図である。
【００６９】
図９を参照すると、複数の終端ノードＮＴ１、ＮＴ２、ＮＴｎと第１電圧ノードＮＬ及び第２電圧ノードＮＨの間に並列に連結されたそれぞれの基準電圧発生器１４０ａ、１４０ｂ、１４０ｎは、第１電圧信号ＶＬをそれぞれの終端電圧ＶＤＤ１、ＶＤＤ２、ＶＤＤｎに終端するプルダウン抵抗ＲＤ及び第２電圧信号ＶＨをそれぞれの終端電圧ＶＤＤ１、ＶＤＤ２、ＶＤＤｎに終端するプルアップ抵抗ＲＵを含む。プルダウン抵抗ＲＤはそれぞれの終端ノードＮＴ１、ＮＴ２、ＮＴｎ及びそれぞれのプルダウンノードＮＤの間に連結され、プルアップ抵抗ＲＵは、それぞれの終端ノードＮＴ１、ＮＴ２、ＮＴｎ及びそれぞれのプルアップノードＮＤの間に連結される。プルダウンノードＮＤとプルアップノードＮＵとの間には、第１分配抵抗Ｒ１及び第２分配抵抗Ｒ２が連結され、それぞれの基準ノードＮＲ１、ＮＲ２、ＮＲｎを通じてプルダウンノードＮＤの終端された第１電圧とプルアップノードＮＵの終端された第２電圧の中間電圧をそれぞれの基準電圧ＶＲＥＦ１、ＶＲＥＦ２、ＶＲＥＦｎに発生することができる。第１分配抵抗Ｒ１及び第２分配抵抗Ｒ２は同じ抵抗値を有し、ポリ抵抗等で容易に構成されることができる。
【００７０】
それぞれの終端抵抗ＲＴがＲの抵抗値を有する場合、複数の終端ノードＮＴ１、ＮＴ２、ＮＴｎ及び前記第１電圧ノードＮＬの間に連結されたプルダウン抵抗ＲＤの合成抵抗はＲの抵抗値を有し、複数の終端ノードＮＴ１、ＮＴ２、ＮＴｎ及び前記第２電圧ノードＮＬの間に連結されたプルアップ抵抗ＲＵの合成抵抗もＲの抵抗値を有する。従って、終端電圧ＶＤＤ１、ＶＤＤ２、ＶＤＤｎが異なるか、送信機の駆動接地電圧ＶＳＳ’及び駆動電源電圧ＶＤＤ’が変わっても、それぞれの基準電圧ＶＲＥＦ１、ＶＲＥＦ２、ＶＲＥＦｎは相応する終端されたデータ信号ＩＳ１、ＩＳ２、ＩＳｎの論理ローレベルと論理ハイレベルの中間値を維持することができる。
【００７１】
図１０は、本発明の他の実施形態による基準電圧発生回路を含む受信機２４０’を示す回路図で、図１１は、図１０の基準電圧発生回路の構成を示す回路図である。図１０及び図１１の基準電圧発生回路１６０は、図８及び図９の基準電圧発生回路１４０と類似な構成を有するので、両者の差異点についてのみ説明する。
【００７２】
図８の基準電圧発生回路１４０に含まれるそれぞれの基準電圧発生器１４０ａ、１４０ｂ、１４０ｎが１つの終端電圧に基づいて１つの基準電圧を発生することとは異なり、図１０の基準電圧発生回路１６０に含まれるそれぞれの基準電圧発生器１６０ａ、１６０ｂは、隣接した２つの終端電圧に基づいて同じ２つの基準電圧を発生する。従って、同じ個数のデータ信号に対する基準電圧を発生する場合に、図１０の基準電圧発生器１６０ａ、１６０ｂの個数は、図８の基準電圧発生器１４０ａ、１４０ｂ、１４０ｎの個数の半分に相当する。この場合、一対の基準電圧は、隣接した２つの終端電圧の平均値に基づいて発生される。
【００７３】
図１１と関連してそれぞれの基準電圧発生器が２つの隣接した終端電圧に基づいて同じ２つの基準電圧を発生する実施例のみを説明したが、それぞれの３つの隣接した終端電圧のうち、２つの終端電圧に基づいて同じ３つの基準電圧を発生する構成も可能で、４つ以上の終端電圧に相応する同じ基準電圧を発生する構成も可能である。
【００７４】
図１及び図７のシステムは、適切な抵抗値の設定によってオープンドレイン構造及びプッシュプル構造のデータドライバの場合に全部適用されることができるのがわかる。
【００７５】
又、前記終端抵抗、プルアップ抵抗、及びプルダウン抵抗はＭＯＳトランジスタ等を含んで構成されることができる。又、前記終端抵抗、プルアップ抵抗、及びプルダウン抵抗は可変抵抗で構成されることができ、外部制御コードに応答してその抵抗値が調節されることができる。
【産業上の利用可能性】
【００７６】
前記のような本発明の実施形態による基準電圧発生回路、これを含むシステム及び基準電圧発生方法は、データ信号のそれぞれの終端電圧によって変化するそれぞれの基準電圧を提供して、複数のデータ信号の論理レベルを判別する時のエラー率を減少させることができる。
【００７７】
又、本発明の実施形態による基準電圧発生回路、これを含むシステム、及び基準電圧発生方法は、データ信号のそれぞれの終端電圧、前記データ信号を伝送する送信機に含まれたデータドライバの駆動電源電圧及び駆動接地によって変化する基準電圧を提供して、複数のデータ信号の論理レベルを判別する時のエラー率をより減少させることができる。
【００７８】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７９】
【図１】本発明の一実施形態によるシステムを示す回路図である。
【図２】オープンドレイン構造のデータドライバによるデータ信号の伝送経路を示す回路図である。
【図３】オープンドレイン構造の電圧ドライバによる基準電圧の発生経路を示す回路図である。
【図４】本発明の一実施例による基準電圧発生回路を含む図１の受信機を示す回路図である。
【図５】図４の基準電圧発生回路の構成の一例を示す回路図である。
【図６】図４の基準電圧発生回路の構成の他の例を示す回路図である。
【図７】本発明の他の実施形態によるシステムを示す回路図である。
【図８】本発明の一実施形態による基準電圧発生回路を含む図７の受信機を示す回路図である。
【図９】図８の基準電圧発生回路の構成の一例を示す回路図である。
【図１０】本発明の他の実施形態による基準電圧発生回路を含む受信機を示す回路図である。
【図１１】図１０の基準電圧発生回路の構成の一例を示す回路図である。
【符号の説明】
【００８０】
１０ａ、１０ｂ、１０ｎ    データ入力ピン
４０ａ、４０ｂ、４０ｎ    データ出力ピン
５０、５０ａ、５０ｂ、５０ｎ    データドライバ
６０、６０ａ、６０ｂ    電圧ドライバ
７０、７０ａ、７０ｂ    電圧入力ピン
７５、７５ａ、７５ｂ    電圧出力ピン
９０    電源電圧ライン
１００、１２０、１２１、１２２、１４０、１６０    基準電圧発生回路
ＶＳＳ’    駆動接地電圧
ＶＤＤ’    駆動電源電圧
ＶＲＥＦ    基準電圧
ＶＤＤ１、ＶＤＤ２、ＶＤＤｎ    終端電圧
ＩＳ    終端されたデータ信号
ＮＴ    終端ノード
ＮＲ    基準ノード
ＲＴ    終端抵抗
ＲＤ    プルダウン抵抗
ＲＵ    プルアップ抵抗
【図１】
2007306569.tif 000003
【図２】
2007306569.tif 000004
【図３】
2007306569.tif 000005
【図４】
2007306569.tif 000006
【図５】
2007306569.tif 000007
【図６】
2007306569.tif 000008
【図７】
2007306569.tif 000009
【図８】
2007306569.tif 000010
【図９】
2007306569.tif 000011
【図１０】
2007306569.tif 000012
【図１１】
2007306569.tif 000013